(57)【要約】【課題】外部表示デバイスに通信可能に接続されると、所定の表示情報を当該外部表示デバイスに拡大表示することができると共に、マウス等の入力デバイスとして使用することができる携帯電話機を提供する。【解決手段】携帯電話機１０は、各種アプリケーションの使用が可能なＰＣとしての機能を有する。筐体１０ａの正面には操作部１５を有し、背面にはマウス部３５を有する。方向キー１８ａ，１８ｂは左右のクリックボタンとして機能する。携帯電話機１０を外部表示デバイス４０とコネクタケーブル４６により接続すると、携帯電話機１０はマウスとして使用できると共に、情報表示部１２に表示される情報（ポインタＰを含む）が、外部表示デバイス４０の拡大表示部４１に拡大して表示される。拡大表示部４１上のポインタＰを任意の位置に動かしながら、方向キー１８ａ，１８ｂを適宜押圧操作することで、携帯電話機１０をマウスとして使用する。【選択図】図１
2010165289.tif 000002
【特許請求の範囲】
【請求項１】
文字入力や指示情報を入力する操作部と、
前記操作部によって入力可能な所定の情報を表示する情報表示部と、
を備えた携帯電話機であって、
前記携帯電話機とは別体に構成され前記情報表示部よりも大きな拡大表示部を有する外部表示デバイスと接続するデバイス接続手段と、
筐体に設けられ所定の入力操作に基づく入力情報を検出し出力する入力デバイス部と、
前記操作部及び前記入力デバイス部からの入力情報を前記外部表示デバイスに対応するデバイス用表示情報に変換する表示情報変換手段と、
前記表示情報変換手段によって変換された前記デバイス用表示情報を前記外部表示デバイスに送信し、前記拡大表示部に拡大して表示するデバイス用表示情報送信手段と、
前記入力デバイス部によって出力された前記入力情報に基づいて前記拡大表示部に表示される表示情報を制御する入力デバイス制御手段と、
を備えることを特徴とする携帯電話機。
【請求項２】
請求項１に記載の携帯電話機において、
前記入力デバイス部は、前記筐体に設けられ所定の作業面に対する当該筐体の移動方向及び移動距離に応じた移動情報を検出し出力するマウス部であり、
前記入力デバイス制御手段は、前記マウス部によって出力された前記移動情報に基づいて前記外部表示デバイスの前記拡大表示部に表示されたポインタを移動又は停止すると共に、前記操作部からの所定の入力操作を選択又は決定に係るマウス操作として制御するマウス制御手段である、
ことを特徴とする携帯電話機。
【請求項３】
請求項１に記載の携帯電話機において、
前記入力デバイス部は、前記筐体に設けられ所定の作業面に対する入力に応じた移動情報を検出し出力するタッチパネル部である、
ことを特徴とする携帯電話機。
【請求項４】
請求項２に記載の携帯電話機において、
前記外部表示デバイスとの接続の有無を検出するデバイス接続検出部と、
前記デバイス接続検出部によって前記外部表示デバイスとの接続が検出された場合に、前記マウス制御手段を起動することで前記携帯電話機をマウスとして使用するマウスモードに切り換え、
前記デバイス接続検出部によって前記外部表示デバイスとの接続解除が検出された場合に、前記マウス制御手段を停止することで前記携帯電話機をマウスとして使用しない通常モードに切り換えるモード切換手段と、
を備えることを特徴とする携帯電話機。
【請求項５】
請求項４に記載の携帯電話機において、
前記携帯電話機が通話の着信信号を受信した場合には、前記マウスモードに切り換えられているときであっても前記通常モードに切り換える着信時切換手段を備えることを特徴とする携帯電話機。
【請求項６】
請求項５に記載の携帯電話機において、
前記携帯電話機による通話が終了した場合には、前記通常モードから前記マウスモードに切り換えるモード復帰手段を備えることを特徴とする携帯電話機。
【発明の詳細な説明】
【技術分野】
【０００１】
この発明は、テレビ受像機等の外部表示デバイスに通信可能に接続されると、携帯電話機からの所定の表示情報を当該外部表示デバイスに拡大表示することができると共に、マウス等の入力デバイスとして使用することができる携帯電話機に関する。
【背景技術】
【０００２】
従来より、外出先等でプレゼンテーションをする場合、必要な情報が記憶されたノート型のパーソナルコンピュータ（以下、ＰＣと称する）を現地に持ち込んで行われることが多い。その際、入力デバイスとしての専用のマウス装置（以下、マウスと称する）も一緒に携帯されることが多い。
【０００３】
プレゼンテーションは、上記ノート型ＰＣの画面を用いて行われたり、現地に据え置かれた外部表示デバイス（例えば、テレビ受像機やＰＣ専用モニタ等の映像表示装置）に上記ノート型ＰＣを接続し、当該外部表示デバイスに情報を表示させて行われる。
【０００４】
近年のノート型ＰＣは、小型軽量化が進んでいるとはいえ、携帯性が良好であるとは言い難く、これを持ち歩くのは荷物となって不便である。また、専用のマウスを一緒に携帯すれば、更に荷物が増えてしまう。
【０００５】
ところで、近年の携帯電話機は機能が充実し、処理能力が向上しているため、ＰＣと同程度にメールや、インターネットを介したデータの送受信を行える他、プレゼンテーションソフト、ワードプロセッサソフト、表計算ソフト等の各種アプリケーションの使用が可能となっている。
【０００６】
したがって、このようなＰＣと同等の機能を有し日常的に携帯されている携帯電話機のみを用いて現地でプレゼンテーションができれば、ノート型ＰＣや専用マウスを持ち込む必要がなくなり、非常に便利である。
【０００７】
なお、関連する従来技術として、携帯電話機に光学式マウス機能を付加し、ＰＣと携帯電話機とをＵＳＢケーブルで接続することにより、携帯電話機をＰＣのマウスとして利用できるようにしたものが提案されている（例えば、特許文献１参照）。
【先行技術文献】
【特許文献】
【０００８】
【特許文献１】特開２００７−２８８７５０号公報
【発明の概要】
【発明が解決しようとする課題】
【０００９】
しかしながら、携帯電話機は、携帯性及び小型軽量化に重点が置かれているため、情報表示部の画面表示領域の大きさに限界があり、小さい文字のフォントや画像を十分に表示することができない。また、各種操作キーも小さく形成されている。このため、携帯電話機の所定のアプリケーションを用いて上記プレゼンテーションを行う場合、情報表示部の表示内容が確認しにくく、入力操作もしにくい。携帯電話機自身への入力操作を快適なものとするためには、入力デバイスとして、例えば、専用のマウスが別途必要になってしまう。
【００１０】
また、上記特許文献１に係る従来技術は、携帯電話機を、ＰＣに対するマウスとして使用するものであるから、携帯電話機自体をＰＣとして使用することは想定されていない。したがって、外出先等でプレゼンテーションを行う場合は、ノート型ＰＣを別途携帯する必要があり、不便である。
【００１１】
このように、プレゼンテーションに必要な拡大表示機能と入力デバイス（例えば、マウス）としての操作性を確保でき、携帯電話機のみを用いてプレゼンテーションができる手段の提供が望まれていた。
【００１２】
したがって、本発明の目的は、外部表示デバイスに通信可能に接続されると、所定の情報を当該外部表示デバイスに拡大表示することができると共に、入力デバイスとして使用することができる携帯電話機を提供することにある。
【課題を解決するための手段】
【００１３】
本発明の第１の実施態様は、文字入力や指示情報を入力する操作部と、操作部によって入力可能な所定の情報を表示する情報表示部と、を備えた携帯電話機であって、携帯電話機とは別体に構成され情報表示部よりも大きな拡大表示部を有する外部表示デバイスと接続するデバイス接続手段と、筐体に設けられ所定の入力操作に基づく入力情報を検出し出力する入力デバイス部と、操作部及び入力デバイス部からの入力情報を外部表示デバイスに対応するデバイス用表示情報に変換する表示情報変換手段と、表示情報変換手段によって変換されたデバイス用表示情報を外部表示デバイスに送信し、拡大表示部に拡大して表示するデバイス用表示情報送信手段と、入力デバイス部によって出力された入力情報に基づいて拡大表示部に表示される表示情報を制御する入力デバイス制御手段と、を備えるように構成される。
【００１４】
本発明のこうした構成によって、携帯電話機が外部表示デバイスに通信可能に接続されると、所定の表示情報を当該外部表示デバイスに表示することができると共に、携帯電話機を入力デバイスとして使用することができる。
【００１５】
本発明の第２の実施態様は、第１の実施態様において、入力デバイス部は、筐体に設けられ所定の作業面に対する当該筐体の移動方向及び移動距離に応じた移動情報を検出し出力するマウス部であり、入力デバイス制御手段は、マウス部によって出力された移動情報に基づいて外部表示デバイスの拡大表示部に表示されたポインタを移動又は停止すると共に、操作部からの所定の入力操作を選択又は決定に係るマウス操作として制御するマウス制御手段であるように構成される。
【００１６】
本発明のこうした構成によって、携帯電話機が外部表示デバイスに通信可能に接続されると、所定の表示情報を当該外部表示デバイスに表示することができると共に、携帯電話機をマウスとして使用することができる。
【００１７】
本発明の第３の実施態様は、第１の実施態様において、入力デバイス部は、筐体に設けられ所定の作業面に対する入力に応じた移動情報を検出し出力するタッチパネル部であるように構成される。
【００１８】
本発明のこうした構成によって、携帯電話機が外部表示デバイスに通信可能に接続されると、所定の入力情報を当該外部表示デバイスに表示することができると共に、携帯電話機をタッチパネルとして使用することができる。
【００１９】
本発明の第４の実施態様は、第２の実施態様において、外部表示デバイスとの接続の有無を検出するデバイス接続検出部と、デバイス接続検出部によって外部表示デバイスとの接続が検出された場合に、マウス制御手段を起動することで携帯電話機をマウスとして使用するマウスモードに切り換え、デバイス接続検出部によって外部表示デバイスとの接続解除が検出された場合に、マウス制御手段を停止することで携帯電話機をマウスとして使用しない通常モードに切り換えるモード切換手段と、を備えるように構成される。
【００２０】
本発明のこうした構成によって、外部表示デバイスとの接続の有無に応じて、マウスモード又は通常モードに自動的に切り換わるので、モード切り換えのための別途のキー操作等が不要であり、使い勝手を向上できる。
【００２１】
本発明の第５の実施態様は、第４の実施態様において、携帯電話機が通話の着信信号を受信した場合には、前記マウスモードに切り換えられているときであっても前記通常モードに切り換える着信時切換手段を備えるように構成される。
【００２２】
本発明のこうした構成によって、操作部から所定の入力をすることなく、すぐに通話を開始できるので、マウスモード中であっても通話の機会を逸することがないようにすることができる。
【００２３】
本発明の第６の実施態様は、第５の実施態様において、携帯電話機による通話が終了した場合には、通常モードからマウスモードに切り換えるモード復帰手段を備えるように構成される。
【００２４】
本発明のこうした構成によって、通話が終了すればマウスモードに自動的に切り換わるので、モード切り換えのための別途のキー操作等が不要であり、使い勝手を向上できる。
【発明の効果】
【００２５】
本発明の携帯電話機は、外部表示デバイスに通信可能に接続されると、所定の表示情報を当該外部表示デバイスに拡大表示することができると共に、携帯電話機を入力デバイスとして使用することができる。
【図面の簡単な説明】
【００２６】
【図１】本発明の一実施形態に係る携帯電話機が外部表示デバイスと接続されマウスとして使用されているシステムの概要を示す模式図である。
【図２】本発明の一実施形態に係る携帯電話機の機能構成の概要を示すブロック図である。
【図３】本発明の一実施形態に係る携帯電話機の制御例を示すフローチャートである。
【図４】本発明の一実施形態に係る携帯電話機のハードウエア構成の例を示す正面図である。
【図５】本発明の一実施形態に係る携帯電話機のマウス部の構成を示す部分断面図である。
【発明を実施するための形態】
【００２７】
最初に、本発明の一実施形態に係る携帯電話機が外部表示デバイスと接続され、マウスとして使用されているシステムの概要を、図１を参照して説明する。図１は、本発明の一実施形態に係る携帯電話機が外部表示デバイスと接続されマウスとして使用されているシステムの概要を示す模式図である。
【００２８】
携帯電話機１０は、図示しない基地局と無線ネットワークを介して通信可能に構成され、通話やメール、インターネットを介したデータの送受信を行える他、ＰＣとしての機能を有している。携帯電話機１０は、例えば、プレゼンテーションソフト、ワードプロセッサソフト、表計算ソフト等の各種アプリケーションの使用が可能である。
【００２９】
携帯電話機１０の情報表示部１２には、これらアプリケーションの使用により得られる各種画像情報や、操作部１５によって入力された文字、図形、画像等の情報が表示される。また、情報表示部１２には、入力可能箇所を示すポインタＰが表示される。
【００３０】
外部表示デバイス４０は、携帯電話機１０とは別体に構成され、携帯電話機１０の情報表示部１２よりも大きな拡大表示部４１と、携帯電話機１０とコネクタケーブル４６によって通信可能に接続するための端子４５とを有する。外部表示デバイス４０として、例えば、テレビ受像機等の映像表示装置を用いることができる。
【００３１】
また、携帯電話機１０の筐体１０ａの正面（上面）には、各種キーからなる操作部１５や情報表示部１２等を有し、筐体１０ａの側面には、外部表示デバイス４０の端子４５とコネクタケーブル４６によって通信可能に接続するための端子３９を有する。また、携帯電話機１０は、筐体１０ａの背面（裏面）にマウス部３５を有する。
【００３２】
マウス部３５は、所定の作業面Ｓに対する筐体１０ａの移動方向及び移動距離に応じた移動情報を検出する。操作部１５の方向キー１８ａは左クリックボタンとして機能し、方向キー１８ｂは右クリックボタンとして機能する。
【００３３】
携帯電話機１０を外部表示デバイス４０と接続すると、携帯電話機１０はマウスとして使用できると共に、携帯電話機１０の情報表示部１２に表示される情報（ポインタＰを含む）が、外部表示デバイス４０の拡大表示部４１に拡大して表示される。
【００３４】
携帯電話機１０が作業面Ｓ上でマウスとして任意の方向に動かされると、拡大表示部４１上のポインタＰもその動きに連動して表示される。ユーザは、拡大表示部４１上のポインタＰを任意の位置に動かしながら、方向キー１８ａ，１８ｂを適宜押圧操作することで、携帯電話機１０をマウスとして使用することができる。
【００３５】
次に、携帯電話機１０の各機能について図２を参照して説明する。図２は、携帯電話機１０の機能構成の概要を示すブロック図である。携帯電話機１０は、アンテナ１１、無線部３０、音声処理部３１、スピーカ１３、マイク１４、情報表示部１２、操作部１５、マウス部３５、端子３９、制御部３２を備えている。
【００３６】
アンテナ１１は、図示しない基地局との間で無線回線を介して無線信号を送受信する。情報表示部１２は、例えば液晶ディスプレイから構成され、種々の情報を表示する。例えば、情報表示部１２は、操作部１５によって入力された文字、図形、画像等の情報を表示したり、入力可能箇所を示すポインタＰ（図１参照）を表示する。
【００３７】
また、情報表示部１２は、携帯電話機１０がＰＣとして使用されるときに、例えば、プレゼンテーションソフト、ワードプロセッサ、表計算ソフト等の各種アプリケーションの利用に係る情報を表示する。
【００３８】
スピーカ１３は、音声や種々の音響を出力する。マイク１４は、音声や種々の音響を入力する。操作部１５は、文字や各種指示情報を入力するものであり、詳細については後述する。
【００３９】
無線部３０は、アンテナ１１で送受信される無線信号の周波数選択や周波数変換等を行う。音声処理部３１は、無線部３０で受信された音声信号を復調してスピーカ１３により音響信号として出力すると共に、マイク１４より入力された音響信号に対応して電気信号に変換された音声信号を変調し無線部３０から送信する。
【００４０】
入力デバイス部としてのマウス部３５は、所定の作業面Ｓ（図１及び図５参照）に対する携帯電話機１０の筐体１０ａの移動方向及び移動距離に応じた移動情報を検出し、制御部３２に出力する。マウス部３５の詳細な構成については後述する。
【００４１】
端子３９は、デバイス接続手段として機能する。端子３９は、外部表示デバイス４０が備える端子４５と同一の規格からなり、コネクタケーブル４６によって接続される。携帯電話機１０の端子３９と外部表示デバイス４０の端子４５とが、コネクタケーブル４６によって接続されると、後に詳述するように、携帯電話機１０がマウスとして機能する。外部表示デバイス４０の端子４５としては、例えば、いわゆるＤ端子を用いることができる。なお、端子４５として、ＨＤＭＩ（High  Definition  Multimedia  Interface）（登録商標）端子を用いることもできる。
【００４２】
制御部３２は、各種情報を記憶する記憶部を有し、携帯電話機１０の各構成要素の動作を制御し、所定のＯＳ（Operating  System）の制御下で、各機能を実行する。制御部３２は、表示情報変換手段、デバイス用表示情報送信手段、入力デバイス制御手段としてのマウス制御手段、デバイス接続検出部、モード切換手段、着信時切換手段、モード復帰手段として機能する。
【００４３】
上記記憶部には、通信処理を行うための通信処理プログラムやＰＣとして機能させるために必要な各種アプリケーションプログラムの他、電話帳、スケジュール帳、発着信した電子メールのデータ等、種々の情報が記憶される。
【００４４】
次に、マウスとして使用する携帯電話機１０の制御例について図３を参照して説明する。図３は、本発明の一実施形態に係る携帯電話機１０の制御例を示すフローチャートである。図３に示す処理は、制御部３２（図２参照）によって短い時間間隔で繰り返し実行されることで、携帯電話機１０の使用状況に変化が生じた場合に、この変化をすぐに検出することができる。
【００４５】
先ず、ステップＳ１０において、携帯電話機１０が外部表示デバイス４０と接続されているかどうか（通信可能かどうか）が検出される。すなわち、携帯電話機１０がマウスとして使用されるかどうかが検出される。より具体的には、携帯電話機１０の端子３９と外部表示デバイス４０の端子４５とが、コネクタケーブル４６によって接続されたときに当該端子４５等から出力される接続信号を、制御部３２が受信して検出を行う。このように制御部３２は、デバイス接続検出部として機能する。
【００４６】
携帯電話機１０が外部表示デバイス４０と接続されていると判定した場合は（ステップＳ１０のＹＥＳ）、ステップＳ１１に進む。一方、接続信号が検出できなかった場合は（ステップＳ１０のＮＯ）、スタートに戻り、検出できるまで待機する。
【００４７】
ステップＳ１１では、前回のマウスモードのプログラム実行時に演算された各種演算値をクリアする初期化処理を行う。そして、携帯電話機１０をマウスとして機能させるための「マウスモード」に設定し、ステップＳ１２に進む。すなわち、携帯電話機１０は、制御部３２によって、マウスとして使用されていない「通常モード」から「マウスモード」へと切り換えられる。したがって、制御部３２は、モード切換手段として機能する。
【００４８】
このように、携帯電話機１０が外部表示デバイス４０と接続されたことを契機として即座にマウスモードに切り換わるので、モード切り換えのための別途のキー操作等が不要であり、携帯電話機１０をすぐにマウスとして利用することができ、使い勝手がきわめてよい。
【００４９】
ステップＳ１２では、携帯電話機１０に通話着信があるかどうかを判定する。マウスモード中に通話着信があった場合に、通話の機会を逸しないようにするためである。より具体的には、制御部３２が、無線部３０から通話の着信信号を受信したかどうかを判定する。
【００５０】
通話着信がないと判定した場合は（ステップＳ１０のＮＯ）、ステップＳ１３に進む。一方、通話着信があったと判定した場合は（ステップＳ１０のＹＥＳ）、ステップＳ２１に進む。このステップＳ２１の内容については、後述する。
【００５１】
ステップＳ１３では、携帯電話機１０の表示情報を外部表示デバイス４０に対応するデバイス用表示情報に変換してから、ステップＳ１４に進む。なお、デバイス用表示情報に変換するために必要なデータは、接続が予想される外部表示デバイス４０の機種に応じて、制御部３２の記憶部（図示せず）に予め記憶されている。
【００５２】
ステップＳ１４では、デバイス用表示情報を外部表示デバイス４０に送信する。すなわち、制御部３２は、携帯電話機１０と通信可能に接続された外部表示デバイス４０の所定の制御部（図示せず）に対してデバイス用表示情報を送信する。外部表示デバイス４０は、このデバイス用表示情報に基づいて拡大表示部４１に所定の情報を表示する。
【００５３】
ステップＳ１５では、マウス部３５により移動情報を検出する。より具体的には、マウス部３５における光学センサ３６（後述の図５参照）によって検出された、作業面Ｓに対する筐体１０ａの移動方向及び移動距離に応じた移動情報が、制御部３２によって求められる。
【００５４】
ステップＳ１６では、マウス部３５により検出された移動情報に変位があるかどうかを判定する。より具体的には、例えば、ステップＳ１５で検出された今回の移動情報と、直前に検出され、制御部３２の記憶部に記憶されている移動情報との差分を求めることにより、移動情報に変位があるかどうかを判定することができる。
【００５５】
移動情報に変位があった場合（ステップＳ１６のＹＥＳ）、すなわち、携帯電話機１０の筐体１０ａが作業面Ｓ上を所定量移動したときには、ステップＳ１７に進む。一方、移動情報に変位がなかった場合は（ステップＳ１６のＮＯ）、ステップＳ１２に戻る。
【００５６】
ステップＳ１７では、変位に対応する移動情報を出力する。これにより、図１に示すように、外部表示デバイス４０に所定の情報（例えば、プレゼンテーション画面における「本日のスケジュール」）と共に表示されているポインタＰが、当該変位に応じて所定の方向に所定の距離だけ移動する。当該所定の情報は、携帯電話機１０の情報表示部１２に表示しきれなかったものも含めて外部表示デバイス４０に拡大表示され、ポインタＰも同様に拡大表示されるので、ユーザは表示内容を容易に確認できる。
【００５７】
ステップＳ１８では、操作部１５からのマウス操作入力があるかどうかを判定する。より具体的には、制御部３２は、方向キー１８ａ，１８ｂ（図１及び図４参照）の押圧操作の有無を監視し、押圧操作（マウス操作入力）があった場合は（ステップＳ１８のＹＥＳ）、ステップＳ１９に進む。
【００５８】
ステップＳ１９では、制御部３２が方向キー１８ａの押圧操作を検出した場合には、左クリック操作に対応するマウス操作入力情報を送信し、外部表示デバイス４０の拡大表示部４１において表示されているポインタＰの表示制御等を行う。また、制御部３２が方向キー１８ｂの押圧操作を検出した場合には、右クリック操作に対応するマウス操作入力情報を送信し、外部表示デバイス４０の拡大表示部４１において所定の表示制御を行う。
【００５９】
一方、操作部１５からのマウス操作入力がなかった場合は（ステップＳ１８のＮＯ）、ステップＳ１２に戻る。
【００６０】
次に、ステップＳ２０では、マウスモードが終了したかどうかを判定する。すなわち、携帯電話機１０と外部表示デバイス４０とのコネクタケーブル４６による接続が解除されたかどうかを判定する。より具体的には、端子３９，４５のうち、いずれか一方からコネクタケーブル４６が外されたときに出力される信号を制御部３２が受信することで検出を行う。
【００６１】
マウスモードが終了したと判定された場合は（ステップＳ２０のＹＥＳ）、本制御を終了する。すなわち、携帯電話機１０は、マウスモードを終了し、通常モードへと即座に切り換えられる。したがって、制御部３２は、モード切換手段として機能する。
【００６２】
このように、携帯電話機１０と外部表示デバイス４０との接続が解除されたことを契機として即座に通常モードに切り換わるので、モード切り換えのための別途のキー操作等が不要であり、使い勝手がきわめてよい。
【００６３】
なお、マウスモードが終了すると、携帯電話機１０からの表示情報は、外部表示デバイス４０に送信されなくなるので、外部表示デバイス４０には何も表示されなくなる。
【００６４】
一方、マウスモードが終了していないと判定された場合は（ステップＳ２０のＮＯ）、ステップＳ１２に戻り、上述した一連の制御が繰り返される。
【００６５】
また、上記ステップＳ１２において、通話着信があると判定した場合は（ステップＳ１０のＹＥＳ）、ステップＳ２１に進み、通常モードに設定する。すなわち、制御部３２は、通話の着信信号を受信した場合には、マウスモードに切り換えられているときであっても通常モードに切り換える。すなわち、制御部３２は、着信時切換手段として機能する。
【００６６】
続いて、ステップＳ２２では、制御部３２は、通話が終了したかどうかを判定する。通話が終了した場合は（ステップＳ２２のＹＥＳ）、ステップＳ１２に戻る。すなわち、通常モードからマウスモードに切り換えられる（マウスモードに復帰する）。このように、制御部３２は、モード復帰手段として機能する。
【００６７】
したがって、通話が終了すればマウスモードに自動的に切り換わるので、モード切り換えのための別途のキー操作等が不要であり、使い勝手を向上できる。なお、通話が終了していない場合は（ステップＳ２２のＮＯ）、通話が終了するまで待機する。
【００６８】
このように、通話着信時に通常モードに自動的に切り換える（通話モードに自動的に復帰させる）ことによって、操作部１５から所定の入力をすることなく、すぐに通話できるようになる。したがって、マウスモード中であっても通話の機会を逸することがない。
【００６９】
次に、図４及び図５を参照して、本発明の一実施形態に係る携帯電話機１０及びマウス部３５のハードウエア構成の例について説明する。ここで、図４は、本発明の一実施形態に係る携帯電話機１０のハードウエア構成の例を示す正面図である。ただし、図４の携帯電話機１０は、代表的な構成を例示したにすぎない。また、図５は、本発明の一実施形態に係る携帯電話機１０のマウス部３５の構成を示す断面図である。
【００７０】
図４に示すように、携帯電話機１０は、上述したアンテナ１１、情報表示部１２、スピーカ１３、マイク１４、操作部１５、マウス部３５、端子３９を備えている。アンテナ１１は、図示しない基地局との間で無線回線を介して無線信号を送受信するために、筐体１０ａの上部に伸縮自在に設けられている。
【００７１】
情報表示部１２、スピーカ１３、マイク１４及び操作部１５は、筐体１０ａの正面（表面）に配置されている。一方、後述するマウス部３５は、筐体１０ａの背面（裏面）に設けられている（図４及び図５参照）。
【００７２】
操作部１５は、携帯電話機１０の電源をオン状態にする電源キー１６と、フック状態の切り換えを行うフックキー１７と、情報表示部１２の表示画面内のポインタＰの位置及び表示領域を移動させる上下左右４方向の方向キー１８ｃ，１８ｄ，１８ａ，１８ｂと、表示領域においてポインタＰが指示する項目を選択する選択キー１９と、ダイヤル番号「０」〜「９」を入力するダイヤル番号キー２０と、その他「＊」や「＃」等の制御キー２１，２２とを有している。
【００７３】
なお、図４は、携帯電話機１０が、例えばプレゼンテーションソフトを実行中であり、情報表示部１２に「本日のスケジュール」と言う情報の一部とポインタＰとが表示されている例を示している。
【００７４】
また、携帯電話機１０をマウスモードで使用するときには、操作部１５の方向キー１８ａは左クリックボタンとして機能し、方向キー１８ｂは右クリックボタンとして機能するようになっている。
【００７５】
端子３９は、コネクタケーブル４６（図１参照）の一端を接続するためのコネクタであり、筐体１０ａの側面に配置されている。なお、端子３９は、使用されないときには所定のカバー部材によって遮蔽されている。
【００７６】
次に、携帯電話機１０が備えるマウス部３５について図５を参照して説明する。携帯電話機１０の筐体１０ａにおいて、操作部１５が形成されていない裏面には、開口凹部１０ｂが形成されている。開口凹部１０ｂには、作業面Ｓ（図１参照）の光学的イメージを読み取る光学センサ３６が設けられている。
【００７７】
光学センサ３６は、開口凹部１０ｂの開口側に向かって所定の光を発する光源３６ａと、作業面Ｓによって反射された光を集光するレンズ３６ｂと、集光した光を検出するイメージセンサ３６ｃとを有している。イメージセンサ３６ｃによる検出結果は、制御部３２（図２参照）に出力され、当該制御部３２によって、作業面Ｓに対する筐体１０ａの移動方向及び移動距離に応じた移動情報が求められる。なお、開口凹部１０ｂの開口には、開閉自在な蓋部材を適宜設けてもよい。
【００７８】
以上のように構成された携帯電話機１０は、所定の操作により、動作モードとして、携帯電話として機能する通常モード（ＰＣとしての機能も含む）と、携帯電話機１０をマウスとして使用するマウスモードとが互いに切り換えられるようになっている。
【００７９】
通常モードでは、取得したコンテンツ、メールの内容、操作情報或いは各種アプリケーションの実行結果に基づく文字、図形、画像等の表示情報が、従来通り、情報表示部１２に表示される。
【００８０】
一方、マウスモードでは、上記通常モードで情報表示部１２に表示される情報（ポインタＰを含む）を外部表示デバイス４０の拡大表示部４１に拡大して表示する共に、所定の作業面Ｓ（図１及び図５参照）に対する携帯電話機１０の筐体１０ａの移動方向及び移動距離に応じた移動情報を検出し出力することで、ポインタＰの位置等を参照しながらマウス操作を実行できるようになっている。
【００８１】
以上のように、本発明の一実施形態に係る携帯電話機１０によれば、外部表示デバイス４０に通信可能に接続されると、従来、情報表示部１２に表示されていた小さい文字のフォントや画像を、外部表示デバイス４０に十分に拡大表示することができる。また、携帯電話機１０をマウスとして使用することができるので、外出先等でプレゼンテーションを行う場合にも、専用マウスやノート型ＰＣを別途携帯する必要がなく、携帯電話機１０のみを用いてプレゼンテーションができる。
【００８２】
これまで、本発明の一実施形態に係る携帯電話機１０について説明してきたが、上記構成は一例にすぎず、他の様々な構成によって本発明の思想を実現することができる。
【００８３】
例えば、上記実施形態においては、携帯電話機１０がマウスとして使用されているときに、携帯電話機１０の情報表示部１２と外部表示デバイス４０の拡大表示部４１の両方に所定の情報を表示している例を説明したが、これに限定されず、当該所定の情報を情報表示部１２には表示せず、拡大表示部４１のみに表示するようにしてもよい。これにより、情報表示部１２を駆動するための電力消費量を低減でき、携帯電話機１０のバッテリの消耗を低減できる。
【００８４】
また、上記実施形態においては、携帯電話機１０を、いわゆる２ボタンマウス（方向キー１８ａ，１８ｂを２ボタンとして利用）として使用できるように構成したが、これに限定されず、操作部１５の他のキーに所定のマウス操作機能（例えば、横スクロール機能等）を割り当てて構成してもよい。これにより、携帯電話機１０をマウスとして多機能化することができる。
【００８５】
また、上記実施形態においては、操作部１５の方向キー１８ａ，１８ｂをマウスのクリックボタンとして機能するように割り当てるものとして説明したが、更に、操作部１５のいずれかのキーにショートカットを割り当て、当該キーを押すと所定のアプリケーションが起動するように構成してもよい。
【００８６】
また、上記実施形態においては、通話着信時に通常モード（通話モード）に自動的に切り換える（ステップＳ１２のＹＥＳ、ステップＳ２１を参照）ものとして説明したが、その際に、いわゆるハンズフリー通話ができるようにしてもよい。
【００８７】
また、通話着信時に通常モードに自動的に切り換えるのではなく、操作部１５からの所定の入力操作に基づいて切り換えるようにしてもよい。
【００８８】
また、上記実施形態においては、携帯電話機１０が外部表示デバイス４０とコネクタケーブル４６によって接続される形態について説明したが、携帯電話１０と外部表示デバイス４０がBluetooth規格等の無線機能によって接続されてもよい。このBluetoothは、所定の周波数（例えば、２．４ＧＨｚ）帯を用いて、半径１０〜１００ｍ程度のBluetooth搭載機器と無線通信を行うことができる。機器間に障害物があっても電波が届く範囲で通信が可能である。また、携帯電話１０と外部表示デバイス４０が赤外線短距離通信のIrDA規格等によって接続されてもよい。
【００８９】
また、上記実施形態においては、携帯電話機１０が外部表示デバイス４０と接続される形態について説明したが、専用の接続ケーブル若しくは上記Bluetooth規格等の無線機能によってＰＣ等のコンピュータと接続され、そのコンピュータの有する画面表示部に、携帯電話機からの入力情報が拡大表示されるように構成してもよい。
【００９０】
この場合、携帯電話機とＰＣ等が接続され画面表示が行われる前に、携帯電話機が、ＰＣ等と通信可能に接続された外部サーバと無線通信機能により接続され、この外部サーバによって携帯電話機の固体ＩＤによる認証が行われた後に、携帯電話機とＰＣ等との接続が開始される、態様に構成してもよい。すなわち、携帯電話機がＰＣ等に物理的に接続（無線通信による接続を含む）された後に、当該携帯電話機を上記外部サーバが認証し、ＰＣ等が当該外部サーバにアクセスしてその認証を確認した後に、携帯電話機とＰＣ等が論理的に接続され、上記マウス機能や拡大表示機能が実現されるように構成してもよい。
【００９１】
また、上記実施形態においては、携帯電話機１０がマウスとして機能するものとして説明したが、これに限定されず、筐体１０ａの一部又は情報表示部１２を、タッチパネルとして機能するように構成してもよい。すなわち、筐体１０ａの一部又は情報表示部１２を所定の作業面とし、当該作業面に対する入力に応じた移動情報を検出し出力するタッチパネル部（タッチパネル部を用いたタッチパッドを含む）を構成してもよい。タッチパネル部への入力は、指或いは専用のスタイラスペン等によって行うことができる。このように構成することで、携帯電話機が外部表示デバイスに通信可能に接続されると、所定の入力情報を当該外部表示デバイスに表示することができると共に、携帯電話機をタッチパネルとして使用することができる。
【００９２】
また、上記実施形態においては、携帯電話機１０がダイヤル番号キー２０や制御キー２１，２２等からなる操作部１５を備えるものとして説明したが、これに限定されず、操作部としてキーボードを備えていてもよい。
【００９３】
また、本発明を、音楽・映像再生機能、撮像機能、いわゆるＧＰＳ機能等、様々な機能を有する携帯電話機に対しても適用することができる。また、本発明を、いわゆる折り畳み式やスライド式の筐体を有する携帯電話機に対しても適用することができる。
【符号の説明】
【００９４】
Ｐ    ポインタ
Ｓ    作業面
１０    携帯電話機
１０ａ    筐体
１２    情報表示部
１５    操作部
１８ａ,１８ｂ    方向キー
３２    制御部
３５    マウス部
３９    端子
４０    外部表示デバイス
４１    拡大表示部
４５    端子
４６    コネクタケーブル
【図１】
2010165289.tif 000003
【図２】
2010165289.tif 000004
【図３】
2010165289.tif 000005
【図４】
2010165289.tif 000006
【図５】
2010165289.tif 000007